(57)【要約】【課題】小型化する事ができ、少ない表示器で多くの情報を表現する事ができ、且つ、明確に分かりやすく表現できるモータ制御装置の状態表示回路およびその状態表示方法を提供する。【解決手段】モータを制御するモータ制御装置の状態表示回路およびその状態表示方法に関わるもので，特に小型化する事ができ、少ない表示器で多くの情報を表現する事ができ、且つ、明確に分かりやすく表現できるモータ制御装置の状態表示回路およびその状態表示方法に関するもので、モータ制御装置の運転状態と数値または文字情報を表示する制御部を備え、制御部で表示する表示手段としてフルカラーLEDを用いることを特徴とする。【選択図】図1
2015070647.tif 000002
【特許請求の範囲】
【請求項１】
モータを制御するモータ制御装置の状態表示回路において、
運転状態と数値または文字情報を表示する制御部を備え、
前記制御部で表示する表示手段としてフルカラーLEDを用いることを特徴とするモータ制御装置の状態表示回路。
【請求項２】
前記表示手段の点滅を用いて、表示内容の種類を増やすことを特徴とする請求項1に記載のモータ制御装置の状態表示回路。
【請求項３】
表示項目と表示項目に対応した数値または文字情報の表示パターンを予め格納しておき、前記制御部が、表示内容に応じて格納先を参照して前期表示手段で表示することを特徴とする請求項1乃至請求項2のいずれか1項に記載のモータ制御装置の状態表示回路。
【請求項４】
前記表示パターンが、前記表示手段の点灯、点滅、消灯の組み合わせでの数値または文字情報であることを特徴とする請求項1乃至請求項3のいずれか1項に記載のモータ制御装置の状態表示回路。
【請求項５】
前記表示手段の色を前記制御部から出力されるアナログ信号またはデジタル信号のON/OFFのデューティでコントロールすることを特徴とする請求項1乃至請求項4のいずれか1項に記載のモータ制御装置の状態表示回路。
【請求項６】
前記表示手段での色の配色において、0から9の数字を抵抗のカラーコードで表現することを特徴とする請求項1乃至請求項5のいずれか1項に記載のモータ制御装置の状態表示回路。
【請求項７】
前記表示手段で、赤・緑・青の3つのLEDが封印されたフルカラーLEDを用い、それぞれのLEDをON/OFFさせ発色した色だけを使用することを特徴とする請求項6に記載のモータ制御装置の状態表示回路。
【請求項８】
前記表示手段の色が識別しにくい時は、識別しやすい色で点滅することで代用することを特徴とする請求項7に記載のモータ制御装置の状態表示回路。
【請求項９】
モータを制御するモータ制御装置の状態表示回路であり、モータ制御装置自体の状態表示方法において、
表示する表示手段としてフルカラーLEDを用い、モータ制御装置自体の状態を、予め格納された表示項目と表示項目に対応した色、数値または文字情報の表示パターンを参照し、運転状態と数値または文字情報を表示する制御部が、前記表示手段で表示することを特徴とするモータ制御装置の状態表示方法。
【発明の詳細な説明】
【技術分野】
【０００１】
本発明はモータを制御するモータ制御装置の状態表示回路およびその状態表示方法に関わるもので，特に小型化する事ができ、少ない表示器で多くの情報を表現する事ができ、且つ、明確に分かりやすく表現できるモータ制御装置の状態表示回路およびその状態表示方法に関する。
【背景技術】
【０００２】
モータ制御装置に限らず一般的な制御装置の状態表示回路は、正常動作であることや異常状態にあることなどの各種の状態を識別できるような表示手段を搭載していることが多い。表示手段としては発光ダイオード(LED)や1桁表示が可能な7セグメント表示器等が広く使用されている。
LEDを使用する例としては、2色のLEDを同時点灯させ、且つ、ON/OFFデューティを変化させて色又は輝度を変化させて混合色を表示し、各種の状態を表現する方法が提案されている。(例えば特許文献1参照)
1桁表示が可能な7セグメント表示器を使用する例としては、7セグメント表示器を多数個使用し、多数桁の文字数値情報を表示し、各種の状態を表現する方法が提案されている。(例えば特許文献2参照)
【先行技術文献】
【特許文献】
【０００３】
【特許文献１】特開2006-94667
【特許文献２】特開平5-252777
【発明の概要】
【発明が解決しようとする課題】
【０００４】
特許文献1の表現方法は、少ない面積に配置でき、少ない表示器で多くの情報を表現する事ができるが、同じ色で輝度を変えて表現する為、曖昧で、分かりにくかった。特許文献2の表現方法は、分かりやすく表現できるが、配置面積は大きく、多くの情報を表現する為には多数の表示器が必要となっていた。
本発明は，このような問題点に鑑みてなされたもので、小型化する事ができ、少ない表示器で多くの情報を表現する事ができ、且つ、明確に分かりやすく表現できるモータ制御装置の状態表示回路およびその状態表示方法を提供する事を目的とする。
【課題を解決するための手段】
【０００５】
上記目的を達成する為の発明は以下のようになる。
請求項1に記載の発明は、運転状態と数値または文字情報を表示する制御部を備え、前記制御部で表示する表示手段としてフルカラーLEDを用いることを特徴としている。
請求項2に記載の発明は、請求項1に記載の発明における前記表示手段の点滅を用いて、表示内容の種類を増やすものである。
請求項3に記載の発明は、請求項1乃至請求項2のいずれか1項に記載の発明における表示項目と表示項目に対応した数値または文字情報の表示パターンを予め格納しておき、前記制御部が、表示内容に応じて格納先を参照して前期表示手段で表示するものである。
請求項4に記載の発明は、請求項1乃至請求項3のいずれか1項に記載の発明における前記表示パターンが、前記表示手段の点灯、点滅、消灯の組み合わせでの数値または文字情報であるものである。
請求項５に記載の発明は、請求項1乃至請求項4のいずれか1項に記載の発明における前記表示手段の表示色をコントロールする方法が、前記制御部から出力されるアナログ信号またはデジタル信号のON/OFFのデューティでコントロールするものである。
【０００６】
請求項6に記載の発明は、請求項1、3、5のいずれか1項に記載の発明における前記表示手段での色の配色において、0から9の数字を抵抗のカラーコードで表現するものである。図3が抵抗のカラーコードを表している。
【０００７】
請求項7に記載の発明は、請求項1に記載の発明における前記表示手段で、赤・緑・青の3つのLEDが封印されたフルカラーLEDを用いた時に、それぞれのLEDをON/OFFさせ発色した色だけを使用するものである。
【０００８】
請求項8に記載の発明は、請求項7に記載の発明における前記表示手段の表示色で、識別しにくいと判断した時は、識別しやすい色で点滅することで代用するものである。
請求項9に記載の発明は、モータを制御するモータ制御装置の状態表示回路であり、モータ制御装置自体の状態表示方法において、表示する表示手段としてフルカラーLEDを用い、モータ制御装置自体の状態を、予め格納された表示項目と表示項目に対応した色、数値または文字情報の表示パターンを参照し、運転状態と数値または文字情報を表示する制御部が、前記表示手段で表示することを特徴とするモータ制御装置の状態表示方法である。
【発明の効果】
【０００９】
本発明によれば、小型化する事ができ、少ない表示器で多くの情報を表現する事ができ、且つ、明確に分かりやすく表現できるモータ制御装置およびその状態表示方法を提供できる。
【図面の簡単な説明】
【００１０】
【図１】本発明によるモータ制御装置の状態表示回路例ブロック図
【図２】実施例1でのモータ制御装置への本発明の設置例
【図３】フルカラーLEDの発色で表す数字例
【図４】実施例1での本発明の状態表示例
【図５】実施例2でのモータ制御装置への本発明の設置例
【図６】実施例2での本発明の状態表示例
【図７】実施例3でのフルカラーLEDの発色で表す数字例
【図８】実施例4でのフルカラーLEDの発色で表す数字・文字例
【発明を実施するための形態】
【００１１】
以下，本発明の実施例を説明する。
図1は、本発明のモータ制御装置の状態表示回路例のブロック図である。図で1はフルカラーLEDで、赤・緑・青の3つのLEDが一つのパッケージに封印され、3つのLEDの明るさを変えることでいろいろな色を表示する事ができる。2はフルカラーLED内のそれぞれのLEDに流す電流をコントロールする為の抵抗で、3はフルカラーLEDの色を変えたり、点灯、点滅、消灯をコントロールする制御部である。
2のフルカラーLED内のそれぞれのLEDに流す電流をコントロールするのは3の制御部で行うが、3の制御部から出力される信号は、電圧をアナログ的に変化させて、LEDに流れる電流を増減させる方法や、電圧は一定で、スイッチングデューティを変えてLEDに流れる電流を増減させる方法が考えられる。
【実施例１】
【００１２】
第1の実施例を説明する。
第1の実施例では、3つのフルカラーLEDを使用する。3つのフルカラーLEDは図2のような形でモータ制御装置に設けられ、前記制御部でコントロールされる。LD11はモータ制御装置が異常か正常かを表し、赤で異常、緑で正常を表す。LD12とLD13はモータ制御装置の状態を表す。また、LD12とLD13は、10色を発色し、それぞれの色は抵抗のカラーコードを用いた図3のようにして数字を表す。数字を表すのに必ずしも抵抗のカラーコードを使用する必要は無い。
第1の実施例の場合、LD11は2色、LD12とLD13は10色を発色する為、200種類の状態を表示できる。図4に状態表示の一例を示す。LD11が緑、LD12が黒、LD13が黒でモータ制御装置の電源が投入され、モータ制御装置の初期設定を行っている状況を表示し、LD11が赤、LD12が黒、LD13が黒でモータ制御装置で発生しているワーニング状況を表示し、モータ制御装置の状態表示を行う。
図4のような表示パターンを予め図示しないメモリーに格納しておき、表示内容に応じて格納先を参照して状態表示しても良い。
【実施例２】
【００１３】
第2の実施例を説明する。
第2の実施例では、2つのフルカラーLEDを使用する。2つのフルカラーLEDは図5のような形でモータ制御装置に設けられ、前記制御部でコントロールされる。LD21とLD22でモータ制御装置の状態を表し、また、LD12とLD13を点滅させてモータ制御装置が異常か正常かを表す。発色は実施例1と同様10色を発色し、それぞれの色は図3のように数字を表す。
第2の実施例の場合、LD21とLD22は10色を発色し、常時点灯させる場合と点滅させる場合の2種類で表示する為、実施例1と同様200種類の状態を表示できる。図6に状態表示の一例を示す。LD21が黒、LD22が黒でモータ制御装置の電源が投入され、モータ制御装置の初期設定を行っている状況を表示し、LD21が黒の点滅、LD22が黒の点滅でモータ制御装置で発生しているワーニング状況を表示し、モータ制御装置の状態表示を行う。
【実施例３】
【００１４】
第3の実施例を説明する。
【００１５】
赤・緑・青の3つのLEDが封印されたフルカラーLEDを用いて色を表現する時、赤、緑、青のそれぞれのLEDをON/OFFするだけで発色させる色は、他の色との識別がしやすい。例えば、赤をON、緑をOFF、青をOFFにすると、赤になり、他の色と識別しやすい。赤OFF、緑ON、青OFFの場合の緑も同様である。一方、図3で、数字の1を表す茶は、赤、緑、青のそれぞれのLEDをON/OFFするだけでは発色することができず、他の色との識別がしにくい。
【００１６】
赤・緑・青の3つのLEDが封印されたフルカラーLEDを用いて色を表現する時の、0から9の数字と、抵抗のカラーコードと、赤・緑・青LEDのON/OFFの関係と、点滅について表した例を図7に示す。
【００１７】
図7の10種類の抵抗カラーコードの色の内、赤、緑、青のそれぞれのLEDをON/OFFするだけで発色できない色は、1の茶、3の橙、8の灰の3色で、他の7色は赤、緑、青のそれぞれのLEDをON/OFFするだけで発色することができる。赤、緑、青のそれぞれのLEDをON/OFFするだけで発色できない茶、橙、灰の3色を、それぞれ赤の点滅、黄の点滅、白の点滅にすることにより、赤、緑、青のそれぞれのLEDをON/OFFするだけで発色できる色になり、他の色と識別しやすくなる。点滅させる色は他の色にしても良い。モータ制御装置の状態表示は実施例1や実施例2と同様な方法で行う。
【実施例４】
【００１８】
第4の実施例を説明する。
【００１９】
第4の実施例では、2つのフルカラーLEDを使用した例で説明する。発色は16色を発色し、それぞれの色は図8のように数字と文字を表し、2つのLEDでアスキーコードを表す。例えば、図5のようにフルカラーLEDを配列し、LD21が黄緑、LD22が橙を表示すると、図8からアスキーコード「30」ということになり「0」を表す。また、LD21が緑、LD22が黒の場合は、アスキーコード「4D」で「M」を表す。この場合、アスキーコードと照らし合わせることが必要となるが、文字を表すことができる。多くの文字を使いたい場合は、一文字毎に2個ずつフルカラーLEDを増やしていけば良い。また、図8の色と値の関係は、変更自由である。モータ制御装置の状態表示は実施例1や実施例2と同様な方法で行う。
【符号の説明】
【００２０】
1 フルカラーLED
2      抵抗
3      制御部
【図１】
2015070647.tif 000003
【図２】
2015070647.tif 000004
【図３】
2015070647.tif 000005
【図４】
2015070647.tif 000006
【図５】
2015070647.tif 000007
【図６】
2015070647.tif 000008
【図７】
2015070647.tif 000009
【図８】
2015070647.tif 000010